(57)【特許請求の範囲】
【請求項１】
義歯床内に保持される磁石構造体と歯根部に埋設される根面板内に固定されるキーパーからなる義歯アタッチメントにおいて、
根面板に鋳接されかつ外周側にＲ部を有し、内周側にＴ字形ネジにより固定できるリング状の耐食性磁性材料からなるキーパー本体と、
前記キーパー本体の根面板側に当接して根面板に鋳接され、前記キーパー本体をＴ字形ネジの雄ネジによって脱着可能に螺着するための雌ネジを有する耐食性非磁性材料からなる保持板と、
前記キーパー本体を上記保持板に固定するための耐食性非磁性材料からなるＴ字形ネジとからなることを特徴とする義歯アタッチメント用キーパー。
【請求項２】
請求項１において、リング状のキーパー本体の鋳接面に１又は複数の窪みを有することを特徴とする義歯アタッチメント用キーパー。
【請求項３】
請求項１において、保持板に耐食性非磁性材料からなるホルダーを有することを特徴とする義歯アタッチメント用キーパー。
【請求項４】
請求項１および３において、耐食性非磁性材料はＴｉ合金等の高強度材料からなることを特徴とする義歯アタッチメント用キーパー。
【発明の詳細な説明】
【０００１】
【発明の属する技術分野】
本発明は、磁気吸引力を利用した義歯アタッチメントを構成する一要素であって、歯根側根面板に固定されるキーパーに関するものである。
【０００２】
【従来の技術】
従来、磁気吸引力を利用した義歯アタッチメントの一要素であるキーパー１０１は、通常鋳接によって根面板１０３に固定されている。図６に示すように歯根部１０６に根面板１０３が埋設され、更に、この根面板１０３上部にキーパー１０１が埋め込まれ、固定されている。キーパー１０１は歯根部１０６を復元するために残歯根部１０６上部に埋設される根面板１０３に鋳接され、磁性体１０３が埋め込まれている義歯床１０４内に吸着され、義歯１０５を固定する役割を果たしている。
【０００３】
上記キーパーは、図６に示したように上記根面板１０３上部にキーパー１０１は鋳接により埋設固定されているため、上記根面板１０３よりキーパー１０１のみを取り外すことは困難である。他方、キーパー１０１は、キーパー１０１自体が磁性材料で形成されているため、ＭＲＩ（核磁気共鳴）による脳等の診断の際には画像を乱すという問題があった。そこで、上記根面板１０３より上記キーパー１０１を取り外すことができる構造がいくつか提案されている。
【０００４】
例えば、特開平７−３２３０３７号公報で提案されている歯科用磁気アタッチメントのキーパーは、図４に示すように、耐食性非磁性材料により歯根２０４内に根面部材２０３の端部にキーパー２１０が鋳ぐるみにより一体に埋設され、キーパー２１０は磁性体からなるキーパー本体２１０ａと、非磁性対体からなるキーパー支持体２１０ｂとからなり、キーパー本体２１０ａ（例えば、雄ネジ２１１あり。）とキーパー支持体２１０ｂ（例えば、雌ネジ２１２あり。）とが着脱自在（例えば、雄ネジ２１１と雌ネジ２１２とがある。）とされ、ＭＲＩ診断時等には雄ネジ２１１と雌ネジ２１２の螺合を解除して、キーパー支持体２１０ｂからキーパー本体２１０ａを離脱させることによりＭＲＩ診断等の結果への悪影響を防止している。
【０００５】
また、特開平８−６４６号公報で提案されている義歯安定用根面部材は、図５に示すように、非磁性材料からなる根面部材本体３０１を略キノコ形の形状に形成し、前記本体の永久磁石組立側の端部の凹部には、非磁性材料からなり、めねじを形成した保持部材３１０を、前記保持部材３１０の底面が前記本体３０１のカサ部下面３２２より０．３ｍｍ以上上方の位置になるように配置し鋳ぐるみした形状とし、頭付き平小ねじ形状３２１の軟磁性保持板３０３をその頭部が前記本体３０１の端面よりは突出するように、前記保持部材３１０に形成しためねじに螺着固定することにより、ＭＲＩ利用等の磁気的特性に影響を及ぼすおそれがあるときはねじにより容易に保持板が除去できるようにしている。
【０００６】
【発明が解決しようとする課題】
しかし、以上に説明した従来のキーパー及び義歯安定用根面部材には、次のような問題があった。
すなわち、特開平７−３２３０３７号では円柱状キーパー２１０を雄ネジ２１１を有する磁性体の円板状キーパー本体２１０ａと雌ネジ２１２を有するリング状キーパー支持体２１０ｂとに分割し、ねじの作用を利用して、根面部材２０３に埋設固定されているキーパー支持体２１０ｂからキーパー本体２１０ａを着脱自在にしているが、キーパー本体２１０ａ及びキーパー支持体２１０ｂとが雄ネジ２１１と雌ネジ２１２とを介して接合された状態の円柱状キーパー２１０が鋳ぐるみにより一体に埋設固定されているため、根面部材２０３に拘束されているキーパー本体２１０ａのみを回転させて取り外すことは困難である。また、キーパー本体２１０ａを再度キーパー支持体へ装着する際に、根面部材２０３の内周側にキーパー本体２１０ａを回転させて挿入することも困難である。さらに、雄ネジ２１１が磁性材料のために強度が不足してネジ部が破壊するという不都合が生じやすい。
【０００７】
次に、特開平８−６４６号公報ではめねじを形成した保持部材３１０と頭付き平小ねじ形状３２１を有するＴ字形の軟磁性保持板３０３とに分割して、ねじの作用を利用して、保持部材３１０に固定されている保持板３０３を保持部材３１０から着脱自在にしているが、義歯床に埋設した永久磁石組立体が磁気吸着するために必要な軟磁性保持板の大きさを確保することを目的として保持部材３１０の大きさに合わせるように保持板３０３の頭部を根面部材３０１よりは突出させているので、義歯床との間に空隙を生じて永久磁石組立体と軟磁性保持板３０３との磁気吸着性の不都合が生じやすい。また、雄ネジ３１１が磁性材料のために強度が不足してネジ部が破壊するという不都合が生じやすい。
【０００８】
本発明は上記の従来技術の問題点に鑑みてなされたもので、磁石構造体と軟磁性材料からなるキーパーとの磁気吸着性能を低下させず、キーパーの取り外しを容易にならしめることにより、ＭＲＩ診断等には軟磁性材料からなるキーパーによる画像の乱れという問題を解消し、並びにＭＲＩ診断等の後に再びキーパーの取り付けを容易にならしめる義歯アタッチメント用キーパーを提供することを目的とする。
【０００９】
【課題を解決するための手段】
上記目的を達成するために、本発明者らは磁石構造体と磁気吸着するキーパーとの間における磁束流による磁気吸着性とキーパーが容易に繰り返し脱着できるねじ部材に関して鋭意研究した結果、キーパーは中央部に孔を有するリング状の形状としても磁気吸着性は低下しないことをも知見し、その知見からねじ部材は非磁性材料からなる雄ネジを有するＴ字形ネジに強度を向上させるとネジ部の破壊が少なくなることを見い出して本発明を完成したものである。
【００１０】
本発明は、義歯床内に保持される磁石構造体と歯根部に埋設される根面板内に固定されるキーパーからなる義歯アタッチメントにおいて、根面板に鋳接されかつ外周側にＲ部を有し、内周側にＴ字形ネジにより固定できるリング状の耐食性磁性材料からなるキーパー本体と、前記キーパー本体の根面板側に当接して根面板に鋳接され、前記キーパー本体をＴ字形ネジの雄ネジによって脱着可能に螺着するための雌ネジを有する耐食性非磁性材料からなる保持板と、前記キーパー本体を上記保持板に螺着固定するための耐食性非磁性材料からなるＴ字形ネジとかなる。
【００１１】前記キーパー本体には、リング状のキーパー本体の歯根部より鋳接面に１若しくは複数の窪み又は１若しくは複数の皿状の凹部を有してもよい。
また、リング状のキーパー本体が磁石構造体と隣接する外周部０．１〜０．３ｍｍは円筒状が好ましい。
前記保持板には、根面板にキーパーを鋳接する際に鋳接作業を簡易にかつ確実に行えるように耐食性非磁性材料からなるホルダーを有してもよい。
前記のＴ字形ネジ、保持板及びホルダーの耐食性非磁性材料はＴｉ合金等の高強度材料がより好ましい。
【００１２】
即ち、本発明のキーパーは、キーパー本体と、保持板と、Ｔ字形ネジとから構成されている。
前記キーパー本体は、耐食性磁性材料からなり、キーパー本体を保持板に螺着固定するためのＴ字形ネジを挿着できるようにその中央部に開口する孔を有するリング状からなる。そのリングの内周側にはＴ字形ネジのネジ部が貫通する貫通孔とその貫通孔に連続して頭部の座面を支える支持部を有し、Ｔ字形ネジの頭部の貫通孔へと連続した孔を設けている。次に、リングの外周側から磁石構造体と磁気吸着する面の反対側（以下、下面側という。）は、保持板と当接する部分を除いて根面板に鋳接される。この鋳接されるリング外周側から下面側にかけての形状はＲ状をなしている。Ｒ状とすることにより、キーパー本体を保持板に固定しているＴ字形ネジを取り外した後に、鋳接後の根面板に埋設固定されているキーパー本体を根面板から容易に取り外すことができる。
【００１３】
また、キーパー本体の下面側には１若しくは複数の窪み又は１若しくは複数の皿状の凹部を設けることによりキーパー本体が根面板上で回転することが防止できる。ＭＲＩ診断等の後に再びキーパー本体を挿着する場合にＴ字形ネジを回転させて根面板にキーパー本体を固定することが容易となる
【００１４】
さらに、鋳接後の根面板に埋設固定されているキーパー本体が根面板から抜け落ち易い場合には、リング外周側のＲ状の一部であるリング状のキーパー本体が磁石構造体と隣接する外周部０．１〜０．３ｍｍを円筒状とする。すなわち、キーパー本体の外周側が根面板上部の内周側との当接部による拘束力が働くからである。
【００１５】
前記キーパー本体の耐食性磁性材料としては、１９Ｃｒ−２Ｍｏ−Ｔｉ鋼、１３Ｃｒ−２Ｍｏ−Ｔｉ鋼、１７Ｃｒ−２Ｍｏ−Ｔｉ鋼などがある。また、これらの材料の耐食性をさらに改善すべくメッキ等の表面処理を行ってもよい。
【００１６】
前記保持板は、耐食性非磁性材料からなり、キーパー本体の下面側にＴ字形ネジにより螺着固定され、キーパー本体の根面板側に当接して根面板に鋳接される。保持板には雌ネジを有している。
また、保持板には根面板に鋳型内で鋳接する際に、キーパー本体と保持板とＴ字形ネジとからなるキーパーを鋳接する作業を簡易にかつ確実に所定位置に行うための耐食性非磁性材料からなるホルダーを保持板の外周側に設けてもよい。
【００１７】
前記Ｔ字形ネジは、耐食性非磁性材料からなり、頭部上面には保持板に螺着するためのスリットを設けている。
【００１８】
前記保持板及び前記Ｔ字形ネジの耐食性非磁性材料としては、ＳＵＳ３１６等の非磁性ステンレス鋼がある。また、強度をさらに向上させる場合にはＴｉ合金などがよい。
【００１９】
【作用】
次に、本発明の作用につき説明する。
本発明のキーパーは、キーパー本体と保持板とをＴ字形ネジで螺着固定により一体化して根面板内に埋設固定される。一方、ＭＲＩ診断等で磁性材料で形成されたキーパー本体を根面板より取り外す必要がある時は、容易にキーパー本体を根面板から取り除くことができる作用がある。
即ち、キーパー本体を固定しているＴ字形ネジのスリットにドライバーを差し込み、所定の方向に回して保持板との螺着固定を解除してＴ字形ネジをキーパー本体より浮上させ外した後に、前記Ｔ字形ネジを破壊することなく機械的に取り外すことができるのである。
さらに、ＭＲＩ診断等を終えた後にキーパー本体を容易に挿着できる作用がある。
【００２０】
【発明の実施の形態】
以下、本発明の義歯アタッチメント用キーパーに関する実施例について図に基づいて具体的に説明する。
本発明の実施例にかかる義歯アタッチメント用キーパーにつき、図１、図２及び図３により説明する。図１は義歯アタッチメント用キーパーを歯腔内に装着した断面図であり、図２は根面板にキーパーを埋設固定した要部縦断面図であり、図３はキーパーの分解図である。
【００２１】
図１において、キーパー１は耐食性軟磁性材料ＡＵＭ２０（愛知製鋼株式会社製にて１９Ｃｒ−２Ｍｏ−Ｔｉ鋼）からなるリング状のキーパー本体１１と、Ｔｉ合金（Ｔｉ−６Ａｌ−４Ｖ）からなるホルダー１２ｂ付きの保持板１２と、Ｔｉ合金からなるＴ字形ネジ１３とから構成され、根面板３に鋳接されている。なお、根面板は歯根部５に埋設され、キーパー１に磁気吸着する磁石構造体２は義歯床４に埋設されている。
【００２２】
キーパー本体１１には、リングの外周側から下面側にかけては根面板３から容易に取り外しができるようにＲ部１１ａが設けられており、着脱時や使用中にキーパー本体が回転しないように下面側に窪み１１ｂが２ケ所設けられている。また、リングの内周側にはＴ字形ネジ１３の頭部座面１３ａを支える支持部１１ｃがもうけられている。
【００２３】
保持板１２には、キーパー本体１１を固定するためのＴ字形ネジ１３の雄ネジ１３ｂを螺合できる雌ネジ１２ｂが形成され、キーパーを根面板に容易かつ確実に鋳接作業ができるようにホルダー１２ｂが保持板側面の上部にレーザー溶接にて取り付けられている。
【００２４】
Ｔ字形ネジ１３には、保持板１２に螺着させるためにその頭部上面にはスリットを設けて、ドライバー先端を挿入して回転できるようになっている。
【００２５】
また、図１は、キーパー本体１１をリング状の形状としても磁石構造体２とキーパー１との磁気吸着性が従来の円板状のキーパーと差異がないことを示している。
即ち、磁石構造体２はＮｄＦｅＢ焼結磁石からなる磁石２１と耐食性軟磁性材料ＡＵＭ２０とからなるケース２２とから構成され、磁気吸着性に及ぼす磁石２１からの磁束流２３はケース２２の外周を介してキーパー本体１１に流れ、キーパー本体１１から磁石２１へと戻る磁束流２３を形成している。従って、キーパー本体１１の中央部は開口孔としても磁気吸着性への影響は少ないのである。
【００２６】
図２において、キーパー本体１１はＡＵＭ２０からなりリング上部平坦部が直径４．０ｍｍで、円筒部は０．２ｍｍ、Ｒ部は半径０．６ｍｍからなり、窪みは直径０．５ｍｍにてその深さは０．２５ｍｍである。また、キーパー本体１１にはＴ字形ネジ１３が挿入できるようにＴ字形ネジ頭部１３ａが挿入できる直径１．６ｍｍ、深さ０．５ｍｍの孔が、その孔と同心上に雄ネジ１３ｂの山部を挿入できるように直径０．８ｍｍの孔が加工されている。
【００２７】
保持板１２はＴｉ合金からなり、直径１．６ｍｍ、高さ１．０ｍｍにて内周にはＭ０．８、ピッチ０．２ｍｍで雌ネジ１２ａが加工されている。外周には直径０．５ｍｍ、長さ１５ｍｍのホルダーがレーザー溶接により接合されている。
【００２８】
Ｔ字形ネジ１３は、Ｔｉ合金からなり、頭部１３ａの寸法は直径１．６ｍｍ、厚さ０．５ｍｍにて雄ネジ１３ｂはＭ０．８、ピッチ０．２ｍｍで長さは１．３ｍｍである。そして、頭部平坦部１３ｃには幅０．３ｍｍ、深さ０．３ｍｍのスリットが切削加工されている。
【００２９】
キーパー本体１１は、保持板１２にＴ字形ネジ１３によりセットされ、根面板３に鋳接によって一体化される。
ここで、図３に示されるように、キーパー本体１１を保持板１２に固定しているＴ字形ネジ１３は、保持板１２とは自在に着脱することができるため、キーパー本体１１を根面板３から自在に着脱することができるのである。また、磁石構造体２の大きさとキーパー本体１１の大きさが同一とすることができ、磁気吸着性にも不都合を生ぜず、低下もしない。さらに、保持板１２とＴ字形ネジ１３との同じ強度を有する非磁性材料としているのでネジ部が破壊するという不都合も発生しない。
【００３０】
【発明の効果】
以上のように、本発明によればキーパー本体はＴ字形ネジと保持板との螺着固定を介して保持板及び根面板に固定されるため、ＭＲＩ等の診断時には容易にキーパー本体を取り外すことができ、また、ＭＲＩ等の診断終了後には簡単かつ確実に、そして繰り返し装着することができる義歯アタッチメント用キーパーを提供することができる。
【図面の簡単な説明】
【図１】本発明における実施例において義歯アタッチメント用キーパーを歯腔内に装着した断面図である。
【図２】本発明における実施例において根面板にキーパーを埋設固定した要部縦断面図である。
【図３】本発明における実施例においてキーパーの分解図である。
【図４】従来の義歯アタッチメント用キーパーを歯腔内に装着した断面図である。
【図５】従来の義歯アタッチメント用キーパー要部縦断面図である。
【図６】従来の義歯アタッチメント用キーパー要部縦断面図である。
【符号の説明】
１    キーパー
１１  キーパー本体
１１ａ  キーパー本体のＲ部
１１ｂ  キーパー本体の窪み
１１ｃ  キーパー本体の支持部
１１ｄ  キーパー本体円筒部
１２  保持板
１２ａ  保持板の雌ネジ
１２ｂ  保持板のホルダー部
１３  Ｔ字形ネジ
１３ａ  Ｔ字形ネジの頭部
１３ｂ  Ｔ字形ネジの雄ネジ
１３ｃ  Ｔ字形ネジのスリット
２    磁石構造体
２１  磁石
２２  ケース
２３  磁束流
３    根面板
４    義歯床
５    歯根部
【図１】
0003578907.tif 000002
【図２】
0003578907.tif 000003
【図３】
0003578907.tif 000004
【図４】
0003578907.tif 000005
【図５】
0003578907.tif 000006
【図６】
0003578907.tif 000007